(57)【要約】【課題】汎用性のある薬剤を使用可能とする。【解決手段】内部に薬剤３４の収納室３、４が設けられるとともに、表面の一部に収納室３、４に連通する薬剤３４の挿脱口５、６と薬剤３４の揮散口９、１０、２１、２２とが独立して設けられる容器本体２を有し、容器本体２の収納室３、４の縁部に、薬剤３４を収納室３、４内の所定の位置に位置決め保持する支持部材１８、……を設ける。支持部材１８、……の形状、数等を調整することにより、市場に流通している汎用性のある薬剤を使用することができるので、薬剤のコストを低減させることができ、薬剤揮散容器全体の価格を低減させることができる。【選択図】        図３
2004182240.tif 000002
【特許請求の範囲】
【請求項１】
内部に薬剤の収納室が設けられるとともに、表面の一部に前記収納室に連通する薬剤の挿脱口と揮散性薬剤の揮散口とが独立して設けられる容器本体を有し、該容器本体の前記収納室の縁部に、薬剤を収納室内の所定の位置に位置決め保持する支持部材を設けたことを特徴とする薬剤揮散容器。
【請求項２】
前記容器本体の挿脱口の縁部には、前記収納室内に収納した薬剤の一部を露出させる切欠部が設けられ、この切欠部を介して前記薬剤の一部を把持可能としたことを特徴とする請求項１に記載の薬剤揮散容器。
【請求項３】
前記容器本体には複数の収納室が設けられ、各収納室の縁部に各収納室内の所定の位置に薬剤を位置決め保持する支持部材を設けたことを特徴とする請求項１又は２に記載の薬剤揮散容器。
【請求項４】
前記容器本体は、二つの分割体を接合して構成されるものであって、両分割体の接合部に前記挿脱口が設けられるとともに、少なくとも一方の分割体の一部に前記揮散口が設けられ、該揮散口の縁部に前記支持部材を設けたことを特徴とする請求項１から３の何れかに記載の薬剤揮散容器。
【請求項５】
前記支持部材は、前記両分割体を一体に接合する接合ピンであることを特徴とする請求項１から４の何れかに記載の薬剤揮散容器。
【請求項６】
前記薬剤は、揮散口を有する可撓性の薬剤収納容器を有し、この薬剤収納容器が前記容器本体内に挟持状態で収納されるように構成したことを特徴とする請求項１から５の何れかに記載の薬剤揮散容器。
【請求項７】
内部に薬剤の収納室が設けられるとともに、表面の一部に前記収納室に連通する薬剤の挿脱口と揮散性薬剤の揮散口とが独立して設けられる容器本体を有し、該容器本体の前記収納室の縁部に薬剤を収納室内の所定の位置に位置決め保持する支持部材が設けられ、前記収納室内に収納された薬剤の表面に表示される揮散性物質の残量が前記揮散口を介して目視されるように構成したことを特徴とする薬剤揮散容器。
【請求項８】
前記容器本体の頂部にフックを設けたことを特徴とする請求項１から７の何れかに記載の薬剤揮散容器。
【発明の詳細な説明】
【０００１】
【発明の属する技術分野】
本発明は、薬剤揮散容器に関し、特に、洋服ダンス等に吊り下げて使用するタイプの薬剤揮散容器に関するものである。
【０００２】
【従来の技術】
この種の薬剤揮散容器の一例として、内部に薬剤の収納室が設けられるとともに、一側面に収納室内外を連通する薬剤の挿脱口が設けられ、表面（前面、後面、及び下面）の一部に収納室内外を連通する薬剤の揮散口が設けられる容器本体を有し、この容器本体の挿脱口から収納室内に板状の薬剤を挿脱可能に構成した薬剤揮散容器が知られている（例えば、特許文献１参照。）。
【０００３】
【特許文献１】
実開平５−６７２６５号公報
【０００４】
そして、このような構成の薬剤揮散容器を容器本体の頂部に設けたフックを介して洋服ダンス等に吊り下げることにより、容器本体内の薬剤が揮散口を介して空気と接触して揮散し、洋服ダンス等の内部に薬剤成分を漂わせることができるものである。
【０００５】
しかしながら、上記のような構成の薬剤揮散容器にあっては、容器本体がデザインを重視した特殊な形状に形成されているため、その容器本体に専用の特殊な形状の薬剤を使用しなければならない。このため、薬剤の製造コストが高く付き、薬剤揮散容器全体としての価格が高くなってしまう。また、薬剤の揮散性物質の残量を表示する機能を備えていないため、薬効が得られる期間を過ぎても使用を続けてしまう問題もある。さらに、使用する空間の大きさによって薬剤の量をフレキシブルに変更することができず、必要以上の薬剤成分を空間に付与してしまったり、十分な薬剤成分を空間に付与できないという問題もあった。
【０００６】
本発明は、上記のような従来の問題を解決したものであって、容器本体に専用の特殊な形状の薬剤を使用する必要がなく、汎用性のある種々のタイプの薬剤を使用することができ、これにより薬剤のコストを低減させることができて、薬剤揮散容器全体としての価格を低減させることができ、さらに、薬剤の揮散性物質の残量を表示する機能を備えることにより、薬効が得られる期間を過ぎても使用を続けるような心配が全くなく、しかも、使用する空間の大きさによって薬剤の量をフレキシブルに変更することができる薬剤揮散容器を提供することを目的とするものである。
【０００７】
【課題を解決するための手段】
上記のような課題を解決するために、本発明の請求項１に係る薬剤揮散容器は、内部に薬剤の収納室が設けられるとともに、表面の一部に前記収納室に連通する薬剤の挿脱口と揮散性薬剤の揮散口とが独立して設けられる容器本体を有し、該容器本体の前記収納室の縁部に、薬剤を収納室内の所定の位置に位置決め保持する支持部材を設けた手段を採用している。
また、本発明の請求項２に係る薬剤揮散容器は、請求項１に記載の薬剤揮散容器において、前記容器本体の挿脱口の縁部には、前記収納室内に収納した薬剤の一部を露出させる切欠部が設けられ、この切欠部を介して前記薬剤の一部を把持可能とした手段を採用している。
さらに、本発明の請求項３に係る薬剤揮散容器は、請求項１又は２に記載の薬剤揮散容器において、前記容器本体には複数の収納室が設けられ、各収納室の縁部に各収納室内の所定の位置に薬剤を位置決め保持する支持部材を設けた手段を採用している。
さらに、本発明の請求項４に係る薬剤揮散容器は、請求項１から３の何れかに記載の薬剤揮散容器において、前記容器本体は、二つの分割体を接合して構成されるものであって、両分割体の接合部に前記挿脱口が設けられるとともに、少なくとも一方の分割体の一部に前記揮散口が設けられ、該揮散口の縁部に前記支持部材を設けた手段を採用している。
さらに、本発明の請求項５に係る薬剤揮散容器は、請求項１から４の何れかに記載の薬剤揮散容器において、前記支持部材は、前記両分割体を一体に接合する接合ピンである手段を採用している。
さらに、本発明の請求項６に係る薬剤揮散容器は、請求項１から５の何れかに記載の薬剤揮散容器において、前記薬剤は、揮散口を有する可撓性の薬剤収納容器を有し、この薬剤収納容器が前記容器本体内に挟持状態で収納されるように構成した手段を採用している。
さらに、本発明の請求項７に係る薬剤揮散容器は、内部に薬剤の収納室が設けられるとともに、表面の一部に前記収納室に連通する薬剤の挿脱口と揮散性薬剤の揮散口とが独立して設けられる容器本体を有し、該容器本体の前記収納室の縁部に薬剤を収納室内の所定の位置に位置決め保持する支持部材が設けられ、前記収納室内に収納された薬剤の表面に表示される揮散性物質の残量が前記揮散口を介して目視されるように構成した手段を採用している。
さらに、本発明の請求項８に係る薬剤揮散容器は、請求項１から７の何れかに記載の薬剤揮散容器において、前記容器本体の頂部にフックを設けた手段を採用している。
【０００８】
【作用】
本発明は、上記のような手段を採用したことにより、薬剤を容器本体の挿脱口から収納室内に収納する際、薬剤は支持部材によって案内されて収納室内の所定の位置に位置決め保持される。そして、その位置において、揮散口を介して空気と接触することにより薬剤成分を空気中に漂わせることになる。この場合、支持部材の位置、数等を調整することにより、部屋の大きさ、収納家具の大きさに応じて、使用する薬剤の量を増減させることができる。また、種々の異なる薬剤、例えば、防虫剤と芳香剤とを組み合わせて収納したり、防虫剤と芳香剤と消臭剤とを組み合わせて収納したりすることにより、空間に複数の薬剤成分を付与させることができる。
【０００９】
【発明の実施の形態】
以下、図面に示す本発明の実施の形態について説明する。
図１〜図３には、本発明による薬剤揮散容器の一実施の形態が示されていて、この薬剤揮散容器１は、内部に薬剤の収納室３、４が設けられるとともに、表面の一部に収納室３、４に連通する薬剤の挿脱口５、６と揮散口９、１０、２１、２２とが独立して設けられる容器本体２を有している。
【００１０】
容器本体２は、二つの分割体７、１９を組み合わせたものであって、両分割体７、１９を一体に接合することにより箱状に形成され、内部に薬剤の収納室３、４が形成されるようになっている。
【００１１】
一方の分割体７は、略長方形状の主板８と、主板８の周縁部に全周に渡って一体に立設される帯状の周板１３とから構成されるものであって、主板８には、長手方向に所定の間隔をおいて二つの長方形状の揮散口９、１０が貫通した状態で設けられ、各揮散口９、１０に対応する周板１３の部分（左側部）には、それぞれ周板１３内外を貫通する切欠部１４、１５が設けられるようになっている。
【００１２】
主板８の各揮散口９、１０の周縁部のうち、周板１３の各切欠部１４、１５の延長線上に位置する部分には、所定の間隔ごとに複数（この実施の形態においては３本）の嵌合ピン１６……がそれぞれ一体に立設されている。
【００１３】
各嵌合ピン１６の先端部には、嵌合突起１７がそれぞれ一体に設けられ、この嵌合突起１７と後述する他方の分割体１９の各被嵌合ピン２８の嵌合孔２９とを相互に嵌合させることにより、一方の分割体７と他方の分割体１９とが一体に接合されるようになっている。そして、一方の分割体７の嵌合ピン１６と後述する他方の分割体１９の被嵌合ピン２８とによって支持部材１８が構成されるようになっている。
【００１４】
他方の分割体１９は、一方の分割体７と同様に、略長方形状の主板２０と、主板２０の周縁部に全周に渡って一体に立設される帯状の周板２５とから構成されるものであって、主板２０には、長手方向に所定の間隔をおいて二つの長方形状の揮散口２１、２２が貫通した状態で設けられ、各揮散口２１、２２に対応する周板２５の部分（右側部）には、それぞれ周板２５内外を貫通する切欠部２６、２７が設けられるようになっている。
【００１５】
主板２０の各揮散口２１、２２の周縁部のうち、周板２５の各切欠部２６、２７の延長線上に位置する部分には、所定の間隔ごとに複数（この実施の形態においては３本）の被嵌合ピン２８……がそれぞれ一体に立設されている。
【００１６】
各被嵌合ピン２８の先端部にはそれぞれ嵌合孔２９が設けられ、この嵌合孔２９と前述した一方の分割体７の各嵌合ピン１６の嵌合突起１７とを相互に嵌合させることにより、一方の分割体７と他方の分割体１９とが一体に接合されるようになっている。そして、この他方の分割体１９の被嵌合ピン２８と前述した一方の分割体７の嵌合ピン１６とによって支持部材１８が構成されるようになっている。
【００１７】
一方の分割体７と他方の分割体１９とは、中央部から折り曲げ自在な一対の連結板３０、３１によって周板１３、２５間が一体に連結され、この連結板３０、３１を折り曲げた状態で一方の分割体７の各嵌合ピン１６と他方の分割体１９の各被嵌合ピン２８とを相互に嵌合させることにより、一方の分割体７と他方の分割体１９とが一体に接合されて箱状に形成され、内部に収納室３、４が形成されるようになっている。
【００１８】
この場合、収納室３、４は、主板８、２０の中央部に位置する支持部材１８、……によって、主板８、２０の長手方向に二つに分割されるようになっている。また、一方の分割体７の一方の切欠部１４と他方の分割体１９の一方の切欠部２６とが合致することにより、その部分に一方の収納室３の内外を連通する薬剤の挿脱口５が形成され、一方の分割体７の他方の切欠部１５と他方の分割体１９の他方の切欠部２７とが合致することにより、その部分に他方の収納室４の内外を連通する薬剤の挿脱口６が形成されるようになっている。
【００１９】
各挿脱口５、６に対応する各主板８、２０の部分は円弧状に切欠された切欠部１１、１２、２３、２４が設けられ、この切欠部１１、１２、２３、２４によって各収納室３、４内から薬剤を取り出す際に、薬剤を掴み易くしている。
【００２０】
他方の分割体１９の周板２５の頂部には、一部が切欠された環状をなすフック３２が一体に設けられるようになっている。この場合、図示はしないが、フックの端部を周板側に設けた孔内に嵌合させるように構成しても良い。
【００２１】
薬剤３４は、図２に示すように、揮散性薬剤３８を紙、不織布、フェルト状織物、無機繊維等からなる薬剤含浸体３５に含浸した状態で薬剤収納容器３６内に収納されるようになっている。薬剤３４としては、防虫剤、芳香剤、消臭剤、防かび剤などが挙げられる。
【００２２】
薬剤収納容器３６は、可撓性を有するプラスチックや成型不織布等のような薬剤被浸透性材からなるものであって、表面の一部に薬剤収納容器３６内外を貫通する長円形状の揮散口３７が設けられ、この揮散口３７を介して薬剤収納容器３６内の揮散性薬剤３８を空気と接触させるようになっている。
【００２３】
薬剤含浸体３５は、薬剤３４の揮散性物質の残量を経時的に表示するインジケーターとしても機能するようになっている。すなわち、薬剤含浸体３５は、薬剤３４の揮散性物質の残量に応じて色を変化させるように構成されており、この薬剤含浸体３５の色を薬剤収納容器３６の揮散口３７を介して目視することにより、薬剤３４の揮散性物質の残量を経時的に確認することができるものである。そして、薬剤３４を容器本体２の挿脱口５、６から容器本体２内に挿入すると、薬剤３４の薬剤収納容器３６は可撓性を有するため、薬剤収納容器３６は容器本体２の主板８、２０間で挟持されることになり、収納室３、４内に保持され、容易に挿脱口５、６から抜け落ちるようなことがない。
【００２４】
なお、薬剤３４は、図４に示すように、２つの薬剤３４、３４の薬剤収納容器３６、３６の一端同士を一体に接合し、接合部を折り曲げることにより重ね合わせるように構成しても良い。そして、このように構成することにより、接合部のばね力により２つの薬剤３４、３４を収納室３、４内に安定して保持することができるものである。
【００２５】
そして、一方の分割体７と他方の分割体１９とを組み合わせて容器本体２を構成し、この容器本体２の各挿脱口５、６から各収納室３、４内に２つの薬剤３４、３４を重ねた状態で挿入すると、薬剤３４、３４は支持部材１８、……によって案内されて収納室３、４内の所定の位置に位置決め保持されることになる。
【００２６】
そして、この状態でフック３２を介して容器本体２を洋服ダンス等に吊り下げることにより、容器本体２の揮散口９、１０、２１、２２及び薬剤収納容器３６の揮散口３７を介して揮散性薬剤３８が空気と接触して揮散し、洋服ダンス等の内部に薬剤３４の効力を付与させることができるものである。
【００２７】
上記のように構成したこの実施の形態による薬剤揮散容器１にあっては、薬剤３４（薬剤収納容器３６）を挿脱口５、６から収納室３、４内に挿入する場合に、薬剤３４（薬剤収納容器３６）は支持部材１８、……によって案内されて収納室３、４内の所定の位置に位置決め保持されることになるので、支持部材１８、……の形状、数等を調整することにより、市場に流通している汎用性のある薬剤に対応することができることになる。従って、引き出し用等の用途に使用する汎用性のある安価な薬剤を使用することができるので、薬剤３４のコストを低減させることができ、薬剤揮散容器１全体としての価格を低減させることができることになる。
【００２８】
また、薬剤３４の揮散性物質の残量は、薬剤揮散容器１の揮散口９、１０、２１、２２及び薬剤収納容器３６の揮散口３７を介して経時的に確認することができるので、薬剤３４の効力が消失したままの状態で使用を続けるような心配はなくなる。そして、薬剤が終了した後は、容器本体２の各挿脱口５、６の切欠部１１、１２、２３、２４に露呈している薬剤３４の縁部を指で掴んで各挿脱口５、６から取り出す。その後、新しい薬剤３４を各挿脱口５、６から各収納室３、４内に挿入することにより、繰り返し使用することができる。従って、ゴミの減量につながる。
【００２９】
なお、前記の説明においては、容器本体２の内部を２つの収納室３、４に分割したが、１つ又は３つ以上の収納室に分割しても良いものである。また、前記の説明においては、嵌合ピン１６と被嵌合ピン２８とによって支持部材１８を構成したが、支持部材１８の形状は特に制限されるものではなく、薬剤３４を収納室３、４内の所定の位置に位置決め保持できれば良いものである。
また、前記の説明においては、揮散性薬剤を揮散させる薬剤揮散容器について説明したが、除湿剤や脱臭剤などの悪臭を吸着したり湿気を吸収したりする薬剤を収納して使用することも可能であり、その場合には、前記説明における揮散口を通じて悪臭や湿気を容器本体内部の薬剤に接触させることにより、悪臭や湿気を除去できるものである。
【００３０】
【発明の効果】
本発明は、前記のように構成したことにより、挿脱口から収納室内に挿入した薬剤は、支持部材によって案内されて収納室内の所定の位置に位置決め保持されることになるので、支持部材の形状、数等を調整することにより、市場に流通している汎用性のある薬剤に対応することができることになる。従って、例えば、引き出し用等の他の用途に使用する汎用性のあるタイプの薬剤を使用することができるので、薬剤のコストを低減させることができ、薬剤揮散容器全体としての価格を低減させることができる。
また、薬剤の揮散性物質の残量を薬剤含浸体の表面に経時的に表示することができるとともに、この表示を容器本体の揮散口を介して目視することができるので、薬剤の効力が消失したままの状態で使用を続けるような心配はなくなる。
【図面の簡単な説明】
【図１】本発明による薬剤揮散容器の一実施の形態を示した斜視図であって、容器本体の組立て前の状態を示した説明図である。
【図２】図１に示す容器本体の組立て後の状態を示した説明図である。
【図３】図２に示す容器本体に薬剤を収納した状態を示した説明図である。
【図４】薬剤の他の例を示した説明図である。
【符号の説明】
１……薬剤揮散容器
２……容器本体
３、４……収納室
５、６……挿脱口
７……一方の分割体
８、２０……主板
９、１０、２１、２２……揮散口
１１、１２、２３、２４……切欠部
１３、２５……周板
１４、１５、２６、２７……切欠部
１６……嵌合ピン
１７……嵌合突起
１８……支持部材
１９……他方の分割体
２８……被嵌合ピン
２９……嵌合孔
３０、３１……連結板
３２……フック
３４……薬剤
３５……薬剤含浸体
３６……薬剤収納容器
３７……揮散口
３８……揮散性薬剤
【図１】
2004182240.tif 000003
【図２】
2004182240.tif 000004
【図３】
2004182240.tif 000005
【図４】
2004182240.tif 000006